(57)【要約】【課題】収容箱に収容された物品の表示部が損傷するのを防止することができる、梱包体を提供する。【解決手段】本発明に係る梱包体は、少なくとも、底壁部、及び前記底壁部の周縁から立ち上がる側壁部を有する収容箱と、前記収容箱に収容される複数の物品と、前記収容箱に収容される、少なくとも一つの仕切り部材と、を備え、前記収容箱には、前記複数の物品が積み上げられた少なくとも一つの列が収容されており、前記各物品の側面の一つは、表示部を有する第１側面を構成しており、前記各列において、前記複数の物品は、前記第１側面が同じ向きで面一になるように積み上げられ、前記仕切り部材は、積み上げられた前記複数の物品の前記第１側面と接するように配置され、前記表示部と対向する部分に少なくとも一つの貫通部が形成されている。【選択図】図８
2019182473.tif 000002
【特許請求の範囲】
【請求項１】
少なくとも、底壁部、及び前記底壁部の周縁から立ち上がる側壁部を有する収容箱と、
前記収容箱に収容される複数の物品と、
前記収容箱に収容される、少なくとも一つの仕切り部材と、
を備え、
前記収容箱には、前記複数の物品が積み上げられた少なくとも一つの列が収容されており、
前記各物品の側面の一つは、表示部を有する第１側面を構成しており、
前記各列において、前記複数の物品は、前記第１側面が同じ向きで面一になるように積み上げられ、
前記仕切り部材は、積み上げられた前記複数の物品の前記第１側面と接するように配置され、前記表示部と対向する部分に少なくとも一つの貫通部が形成されている、梱包体。
【請求項２】
前記仕切り部材の貫通部は、前記各列において、積み上げられた前記複数の物品のすべての前記表示部を露出するように構成されている、請求項１に記載の梱包体。
【請求項３】
前記貫通部は、前記仕切り部材の下縁側に開放する切り欠き状に形成されている、請求項１または２に記載の梱包体。
【請求項４】
前記仕切り部材は、前記貫通部の全周を囲む周縁部を有している、請求項１または２に記載の梱包体。
【請求項５】
前記仕切り部には、前記各表示部をそれぞれ露出する複数の前記貫通部が形成されている、請求項１に記載の梱包体。
【請求項６】
前記収容箱には、複数の前記物品の列が収容され、
前記仕切り部材は、前記複数の列に亘って、前記第１側面に接するように配置され、
前記仕切り部材には、前記各列に対応するように複数の前記貫通部が形成されている、請求項１から５のいずれかに記載の梱包体。
【請求項７】
前記仕切り部材は、前記物品と前記側壁部との間に配置されている、請求項１から６のいずれかに記載の梱包体。
【請求項８】
前記複数の物品は、第１列及び第２列を含む複数の前記列において積み上げられており、
前記第１列に積み上げられた前記複数の物品の前記第１側面と、前記第２列に積み上げられた前記複数の物品の前記第１側面とが、前記仕切り部材を介して対向するように配置されている、請求項１から７のいずれかに記載の梱包体。
【請求項９】
前記収容箱は、直方体状に形成され、
前記各物品は、直方体状に形成されている、請求項１から８のいずれかに記載の梱包体。
【請求項１０】
前記各物品の第１側面には、凹部が形成され、
前記凹部に、前記表示部が設けられている、請求項１から９のいずれかに記載の梱包体。
【発明の詳細な説明】
【技術分野】
【０００１】
本発明は、梱包体に関する。
【背景技術】
【０００２】
商品などの物品は、収容箱に梱包された上で、搬送が行われる(例えば、特許文献１)。
【先行技術文献】
【特許文献】
【０００３】
【特許文献１】特開２００２−３０８３３０号公報
【発明の概要】
【発明が解決しようとする課題】
【０００４】
ところで、物品の側面に印刷による表示部が施されている場合、搬送中に物品が収容箱の中で振動すると、表示部が収容箱の壁面や仕切り板で擦れ、表示部の情報が不明瞭になるおそれがある。本発明は、上記問題を解決するためになされたものであり、収容箱に収容された物品の表示部が損傷するのを防止することができる、梱包体を提供することを目的とする。
【課題を解決するための手段】
【０００５】
本発明に係る梱包体は、少なくとも、底壁部、及び前記底壁部の周縁から立ち上がる側壁部を有する収容箱と、前記収容箱に収容される複数の物品と、前記収容箱に収容される、少なくとも一つの仕切り部材と、を備え、前記収容箱には、前記複数の物品が積み上げられた少なくとも一つの列が収容されており、前記各物品の側面の一つは、表示部を有する第１側面を構成しており、前記各列において、前記複数の物品は、前記第１側面が同じ向きで面一になるように積み上げられ、前記仕切り部材は、積み上げられた前記複数の物品の前記第１側面と接するように配置され、前記表示部と対向する部分に少なくとも一つの貫通部が形成されている。
【０００６】
この構成によれば、収容箱の内部で、表示部が形成された物品の第１側面と接するように仕切り部材が配置されている。そして、仕切り部材には、表示部と対向する位置に貫通部が形成されているため、表示部が仕切り部材に接触して擦れるのを防止することができる。そのため、梱包体が搬送中に振動を受けたとしても、表示部に形成された情報が損傷するのを防止することができる。
【０００７】
上記梱包体において、前記仕切り部材の貫通部は、前記各列において、積み上げられた前記複数の物品のすべての前記表示部を露出するように構成することができる。
【０００８】
この構成によれば、積み上げられた各列のすべての物品の表示部が隣接する物品等に接触するのが防止されるため、これらすべての表示部の擦れ防止効果を得ることができる。
【０００９】
上記梱包体において、前記貫通部は、前記仕切り部材の下縁側に開放する切り欠き状に形成することができる。
【００１０】
この構成によれば、貫通部が下方に開放する切り欠き状に形成されているため、例えば、仕切り部材を、物品の列の間、あるいは物品と側壁部との間に上方から挿入するとき、挿入中の仕切り部材と表示部とが接触するのを防止することができる。
【００１１】
上記梱包体において、前記仕切り部材は、前記貫通部の全周を囲む周縁部を有することができる。
【００１２】
この構成によれば、貫通部の周囲の全周が支持されることで、貫通部以外の物品と仕切り部材との接触面積が多くなるため、貫通部を介して表示部が隣接する物品に接触しがたくなり、擦れ防止により効果的である。また、例えば、仕切り部材が矩形状となることで、仕切り部材そのものの剛性が増すという効果もある。
【００１３】
上記梱包体において、前記仕切り部には、前記各表示部をそれぞれ露出する複数の前記貫通部を形成することができる。
【００１４】
この構成によれば、仕切り部材の４辺が支持され、かつ隣接する表示部間に対応する位置にも、隣接する貫通部の間の部位である桟が配される。これにより、物品と仕切り部材との接触面積が多くなるため、貫通部を介して表示部が隣接する物品に接触しがたくなり、擦れ防止により効果的である。また、物品の表示部間に対応する位置に桟を設けることで、仕切り部材そのものの剛性が増すという効果がある。
【００１５】
上記梱包体において、前記収容箱には、複数の前記物品の列が収容され、前記仕切り部材は、前記複数の列に亘って、前記第１側面に接するように配置され、前記仕切り部材には、前記各列に対応するように複数の前記貫通部を形成することができる。
【００１６】
これにより、物品の列間に対応する位置に、隣接する貫通部の間の部位である支柱が設けられるため、仕切り部材そのものの剛性が増す。また、このような支柱が設けられることで、物品と仕切り部材との接触面積が大きくなるため、貫通部を介して表示部が隣接する物品に接触しがたくなり、擦れ防止により効果的である。
【００１７】
上記梱包体において、前記仕切り部材は、前記物品と前記側壁部との間に配置することができる。
【００１８】
これにより、例えば、物品が外側に膨らむように紙材などで形成されている場合には、物品同士の間に仕切り部材を挿入することに比して、物品と収容箱の側壁部と間に仕切り部材を挿入した方が、物品と収容箱との間の距離を広くすることができ、擦れ防止により効果的である。
【００１９】
上記梱包体において、前記複数の物品は、第１列及び第２列を含む複数の前記列において積み上げられており、前記第１列に積み上げられた前記複数の物品の前記第１側面と、前記第２列に積み上げられた前記複数の物品の前記第１側面とが、前記仕切り部材を介して対向するように配置することができる。
【００２０】
この構成により、２つの列で、第１側面同士が対向するように、物品が積み重ねられても、その間に仕切り部材が配置されているため、第１列及び第２列の両方の表示部同士が接触するのを防止することができる。また、仕切り部材の枚数が少なくなり、コスト面でより有効である。
【００２１】
上記梱包体において、前記収容箱を、直方体状に形成し、前記各物品を、直方体状に形成することができる。
【００２２】
これにより、複数の前記物品を、前記収容箱に隙間なく収容することができる。
【００２３】
なお、「隙間なく」とは完全に隙間がない状態のみならず、物品が収容箱内で大きく移動しない程度の多少の隙間が生じている状態も含む。
【００２４】
上記梱包体において、前記各物品の第１側面には、凹部が形成され、前記凹部に、前記表示部を設けることができる。
【００２５】
この構成により、隣接する物品、あるいは隣接する側壁部に対し、表示部が接触するのをより抑制することができる。
【発明の効果】
【００２６】
本発明に係る梱包体によれば、収容箱内で、各物品の表示部が擦れて損傷するのを防止することができる。
【図面の簡単な説明】
【００２７】
【図１】本発明の一実施形態に係る梱包体の斜視図である。
【図２】図１の収容箱の斜視図である。
【図３】図２の平面図である。
【図４】物品の斜視図である。
【図５】積み重ねられた物品の側面図である。
【図６】収容箱に配置される物品の平面図である
【図７】仕切り部材の正面図である。
【図８】積み上げられた物品に仕切り部材を接した状態を示す正面図である。
【図９】物品の梱包方法を説明する斜視図である。
【図１０】物品の梱包方法を説明する斜視図である。
【図１１】物品の梱包方法を説明する斜視図である。
【図１２】物品の梱包方法を説明する斜視図である。
【図１３】仕切り部材の他の例を示す正面図である。
【図１４】仕切り部材の他の例を示す正面図である。
【図１５】仕切り部材の他の例を示す正面図である。
【図１６】仕切り部材の配置の他の例を示す平面図である。
【図１７】物品の他の例を示す断面図である。
【図１８】図１７の正面図である。
【発明を実施するための形態】
【００２８】
以下、本発明に係る梱包体の一実施形態について図面を参照しつつ説明する。図１は、本実施形態に係る梱包体の斜視図である。以下では、説明の便宜のため、図１の方向に沿って説明を行うが、本発明はこの方向に限定されるものではない。
【００２９】
＜１．梱包体の概要＞
図１に示すように、この梱包体は、直方体状の収容箱１と、この収容箱１の内部に収容される直方体状の複数の物品２と、収容箱１の内部に配置される板状の仕切り部材３と、を備えている。以下、各部材について、詳細に説明する。
【００３０】
＜１−１．収容箱＞
図２は収容箱の斜視図、図３は図２の平面図である。図２及び図３に示すように、収容箱１は、長方形状の底壁部１１と、この底壁部１１の周縁から立ち上がる角筒状の側壁部１２と、側壁部１２の上縁に連結され、側壁部１２の上部開口を閉じる蓋部１３と、を備えている。側壁部１２は、対向する第１短側壁１２１と第２短側壁１２２、及び対向する第１長側壁１２３と第２長側壁１２４が連結されることで構成されている。第１短側壁１２１と第２短側壁１２２は、底壁部１１の長辺方向の両端に配置され、矩形状に形成されている。一方、第１長側壁１２３と第２長側壁１２４は、底壁部１１の短辺方向の両端に配置され、矩形状に形成されている。
【００３１】
蓋部１３は、第１長側壁１２３及び第２長側壁１２４のそれぞれの上縁に折り曲げ可能に連結された一対の長フラップ１３１と、第１短側壁１２１及び第２短側壁１２２のそれぞれの上縁に折り曲げ可能に連結された一対の短フラップ１３２と、で構成されている。そして、各長フラップ１３１がそれぞれ折り曲げられると、側壁部１２の上部開口を塞ぐようになっている。すなわち、各長フラップ１３１の幅は、短側壁１２１，１２２の上縁の約半分の長さになっている。一方、各短フラップ１３２の幅は、長側壁１２３，１２４の上縁の長さの半分よりも短くなっている。
【００３２】
なお、収容箱１は、種々の材料で形成することができるが、例えば、厚紙、段ボールなどの紙材のほか、プラスチック、発泡材などの樹脂材料などで形成することができる。
【００３３】
＜１−２．物品＞
次に、物品２について、図４〜図６を参照しつつ説明する。図４は物品の斜視図、図５は積み重ねられた物品の側面図、図６は収容箱に配置される物品の平面図である。図４〜図６に示すように、各物品２は、直方体状に形成されており、収容箱１の内部に２列（以下、左側を第１列、右側を第２列という）になって３段に積み上げられている。各物品２は、長方形状の底面２１及び天面２２と、これら底面２１と天面２２とを連結する４つの側面２３〜２６からなる側面部とを備えている。ここでは、底面２１の長辺に沿って形成される側面を第１長側面２３及び第２長側面２４と称し、底面２１の短辺に沿って形成される側面を第１短側面２５及び第２短側面２６と称することとする。そして、底面２１及び天面２２の長辺の長さは、収容箱１の短側壁１２１，１２２の長さとほぼ同じであり、短辺の長さは、収容箱１の長側壁１２３，１２４の長さの約半分である。
【００３４】
また、図５に示すように、収容箱１の中で一列に積み上げられる物品２は、第１長側面２３が同じ方向を向き、面一になるように積み上げられている。そして、２列に並ぶ物品２は、図６に示すように、収容箱１内で、第１長側面２３同士が対向するように配置され、第１短側面２５と第２短側面２６とが面一に並ぶように配置されている。なお、図６では説明の便宜のため、両列の間を離して記載している。
【００３５】
図５に示すように、各物品２の第１長側面２３には、物品２に関する情報が表示された表示部２７が設けられている。この表示部２７には、インクによりベタ印刷が施された下地領域の一部がレーザにより溶融、剥離等されることで、文字、図形、バーコードなどの情報が形成されるようになっている。ここでいう情報とは、例えば、物品の名称、型番、ロット番号などであり、物品あるいは物品に収容されている被収容物を特定するために損傷してはならない情報である。
【００３６】
なお、物品２は、例えば、商品自体であってもよいし、商品が梱包された包装箱であってもよい。
【００３７】
＜１−３．仕切り部材＞
次に、仕切り部材３について図７及び図８を参照しつつ説明する。図７は仕切り部材の正面図、図８は積み上げられた物品に仕切り部材を接した状態を示す正面図である。図７に示すように、仕切り部材３は、外形が矩形状に形成され、図１に示すように、収容箱１内で、第１列の物品２と第２列の物品２の間に配置される。仕切り部材３の上下方向の長さは、収容箱１の高さとほぼ同じであり、左右方向の長さは、収容箱１の短辺の長さとほぼ同じである。
【００３８】
そして、仕切り部材３には、下縁側に開放する矩形状の貫通部３１が形成されている。したがって、仕切り部材３は、全体としてＵ字状に形成されている。この貫通部３１は、各列の物品の第１長側面２３の表示部２７をすべて露出するような大きさに形成されている。
【００３９】
すなわち、図８に示すように、貫通部３１の左右方向の長さは、表示部２７の左右方向の長さよりも長くなっている。一方、貫通部３１の上下方向の長さは、３段に積み上げられた物品２の下端から、最上段の物品２の表示部２７の上縁よりやや高い位置までの長さとなっている。したがって、積み上げられた物品２の第１長側面２３に仕切り部材３が接すると、貫通部３１から３つの物品２の各表示部２７が露出するようになっている。
【００４０】
なお、仕切り部材３は、種々の材料で形成することができるが、上述した収容箱１と同様の材料で形成することができる。また、仕切り部材３の厚みは、特には限定されないが、例えば、１〜２０ｍｍとすることができる。これは、仕切り部材３が薄すぎると、後述するように、第１列の物品２と第２列の物品２の表示部２７が接するおそれがあるからであり、厚すぎると、収容箱１内に物品２が収容しがたくなるからである。
【００４１】
＜２．物品の梱包方法＞
次に、物品の梱包方法について、図９〜図１２を参照しつつ説明する。まず、図９に示すように、収容箱１の蓋部１３を開いた状態で、収容箱１内に、第１列の３つの物品２を積み上げる。このとき、第１列の各物品２は、第２長側面２４同士が面一になるように揃え、且つ第２長側面２４が収容箱１の第２短側壁１２２に接するように配置する。これにより、第１列の各物品２の第１長側面２３は、面一に揃った状態で、収容箱１の中央付近に配置される。そして、収容箱１には、第２列の物品２が配置される空間が形成される。
【００４２】
次に、図１０に示すように、仕切り部材３を、第１列の物品２の第１長側面２３に接するように配置する。これにより、仕切り部材３の貫通部３１から３つの物品２の各表示部２７が露出する。
【００４３】
続いて、図１１に示すように、収容箱１に第２列の物品２を収容する。このとき、第２列の物品２は、第１長側面２３同士が面一になるように揃え、且つ第１長側面２３が仕切り部材３と接するように配置する（図６参照）。これにより、仕切り部材３の貫通部３１と対応するように、各列の３つの物品２の各表示部２７が配置される。こうして、収容箱１には、第１列の物品２と第２列の物品２との間に仕切り部材３が配置された状態で、６つの物品２が隙間なく収容される。
【００４４】
これに続いて、両短フラップ１３２を折り曲げた後、両長フラップ１３１を折り曲げる。そして、テープなどで、長フラップ１３１を固定する。これにより、図１２に示すように、収容箱１の上部開口が蓋部１３によって閉じられ、梱包が完了する。
【００４５】
＜３．特徴＞
以上のように、本実施形態によれば、収容箱１の内部で、表示部２７が形成された物品２の第１長側面２３と対向するように仕切り部材３が配置されている。そして、仕切り部材３には、表示部２７と対応する位置に貫通部３１が形成されているため、表示部２７が仕切り部材３に接触して擦れるのを防止することができる。そのため、梱包体が搬送中に振動を受けたとしても、表示部２７に形成された情報(文字列や２次元コードも含むバーコード等)が損傷するのを防止することができる。また、仕切り部材３にベタ領域のインクが付着して汚れるのを防止することができる。
【００４６】
特に、本実施形態では、２つの列で、表示部２７を有する第１長側面２３同士が対向するように、物品２が積み重ねられ、その間に仕切り部材３が配置されているため、第１列及び第２列の両方の表示部２７同士が接触するのを防止することができる。
【００４７】
なお、すべての物品２を収容箱１に収容した後、第１列と第２列との間に仕切り部材３を挿入することもできる。この場合、貫通部３１が下方に開放する切り欠き状に形成されているため、仕切り部材２を上方から挿入するとき、挿入中の仕切り部材３と表示部２７とが接触するのを防止することができる。
【００４８】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能であるが、以下の変形例は、適宜組み合わせることができる。
【００４９】
＜４−１＞
上記実施形態では、収容箱の中に２列で物品を収容しているが、さらに多くの列の物品を収容することができる。この場合、例えば、図１３に示すように、２列に並ぶ物品２に亘る仕切り部材３を設けることができる。この場合、仕切り部材３には各列の表示部２７が露出するように、上下方向に延びる支柱３３によって仕切られた２つの貫通部３１が形成されている。そして、このような２列の物品をもう一組設け、仕切り部材３を介して対向させるように収容箱１に収容することができる。
【００５０】
このように、仕切り部材３に形成される貫通部３１の数は、対向する物品２の列の数によって適宜変更することができる。また、貫通部３１の形状は矩形状でなくてもよく、少なくとも一列のすべての表示部２７を露出させる形状であればよい。したがって、例えば、貫通部３１は仕切り部材３の下縁で開放していなくてもよく、図１４に示すように、仕切り部材３が枠状に、矩形状の貫通部３１の全周を囲むように形成されていてもよい。この場合、仕切り部材３において、貫通部３１の周縁を囲む部分が本発明の周縁部を構成する。また、複数の表示部２７を１つの貫通部３１で露出させるような形状のほか、各表示部２７を個別に露出させるように、各表示部２７ごとに複数の貫通部３１を設けることもできる。例えば、図１５に示すように、仕切り部材３に、各表示部に対応するように、左右方向に延びる桟３２で仕切られた３個の貫通部３１を設け、これら貫通部３１から各表示部２７が露出するようにする。仕切り部材３を、図１３〜図１５のように構成すると、貫通部３１以外の面積が増えるため、仕切り部材３の剛性が増大する。また、仕切り部材３において、貫通部３１以外の部位と物品２の側面との接触面積が増すため、相対的に貫通部３１の面積が小さくなり、貫通部３１を介して表示部２７が隣接する物品２と接触しがたくなる。よって、表示部２７の擦れ防止効果を向上することができる。
【００５１】
仕切り部材３は、平坦な板状でなくてもよく、例えば、波状など、表面に凹凸が形成されていてもよい。さらに、仕切り部材３の外形、貫通３１の形状も特には限定されず、矩形以外であってもよい。
【００５２】
＜４−２＞
仕切り部材３の位置は、物品３の列の間でなくてもよい。例えば、図１６に示すように、物品２の列の間のほか、物品２の列と収容箱１の側壁部１２との間でもよい。この場合、各例の物品２の第１長側面２３をそれぞれ、第１短側壁１２１及び第２短側壁１２２に向け、第１列の物品２と第２短側壁１２２との間、及び第２列の物品２と第１短側壁１２１との間にそれぞれ仕切り部材３を設ける。このようにすると、仕切り部材３によって、各短側壁１２１，１２２に表示部２７が接触するのが防止されるため、表示部２７の情報が損傷するのを防止することができる。
【００５３】
このように、収容箱１の中での物品２の向きは特には限定されず、いずれの向きであってもよい。そして、第１長側面２３と対向する位置に仕切り部材３が配置されればよい。
【００５４】
＜４−３＞
収容箱１の形状、物品２の形状、収容される物品２の数、配置方法は、特には限定されない。また、収容箱１に蓋部１３を設けないようにすることもできる。
【００５５】
＜４−４＞
表示部２７は、種々の構成が可能であり、上記のようなベタ領域をレーザーで削って文字等を形成する態様に限定されない。例えば、インクジェット機などによる印刷のほか、スタンプなどで文字などの情報が形成されていてもよい。すなわち、何らかの情報を示す表示部２７が形成されていればよく、また、表示部２７が設けられる物品２の側面は、１つでなくてもよく、複数あってもよい。表示部２７が複数の側面に形成されている場合には、仕切り部材３を複数設けてもよい。例えば、物品２の列の間と、物品２と収容箱１の側壁部１２との間に設けることができる。
【００５６】
＜４−５＞
表示部２７が擦れるのを防止するため、例えば、図１７及び図１８に示すように、物品２の側面２３に凹部２９を形成し、この凹部２９に印刷によって表示部２７を形成することもできる。この凹部２９は、デボス加工などで側面２３よりも狭い面積で形成することができ、その側面２３からの深さは、例えば、０．１〜５．０ｍｍとすることができる。
【符号の説明】
【００５７】
１  収容箱
１１  底壁部
１２  側壁部
２  物品
２３  第１長側面（第１側面）
２７  表示部
３  仕切り部材
３１  貫通部
【図１】
2019182473.tif 000003
【図２】
2019182473.tif 000004
【図３】
2019182473.tif 000005
【図４】
2019182473.tif 000006
【図５】
2019182473.tif 000007
【図６】
2019182473.tif 000008
【図７】
2019182473.tif 000009
【図８】
2019182473.tif 000010
【図９】
2019182473.tif 000011
【図１０】
2019182473.tif 000012
【図１１】
2019182473.tif 000013
【図１２】
2019182473.tif 000014
【図１３】
2019182473.tif 000015
【図１４】
2019182473.tif 000016
【図１５】
2019182473.tif 000017
【図１６】
2019182473.tif 000018
【図１７】
2019182473.tif 000019
【図１８】
2019182473.tif 000020